(57)【要約】【課題】パスワードが筐体に設けられる場合であっても、パスワードの漏洩を抑制することができる放射線検出器を提供することである。【解決手段】実施形態に係る放射線検出器は、筐体と、前記筐体の内部に設けられ、放射線を直接的またはシンチレータと協働して検出する検出部と、前記筐体の外面に開口する凹部と、前記凹部の内部に設けられたパスワードと、を備えている。【選択図】図６
2019039676.tif 000002
【特許請求の範囲】
【請求項１】
筐体と、
前記筐体の内部に設けられ、放射線を直接的またはシンチレータと協働して検出する検出部と、
前記筐体の外面に開口する凹部と、
前記凹部の内部に設けられたパスワードと、
を備えた放射線検出器。
【請求項２】
前記凹部の内部に収納可能な電池をさらに備えた請求項１記載の放射線検出器。
【請求項３】
前記電池が、前記凹部の内部に収納された際に、前記パスワードの少なくとも一部が前記電池により隠される請求項２記載の放射線検出器。
【請求項４】
前記パスワードは、当該放射線検出器固有のパスワードである請求項１〜３のいずれか１つに記載の放射線検出器。
【請求項５】
前記パスワードは、共通鍵暗号に用いる鍵情報である請求項１〜４のいずれか１つに記載の放射線検出器。
【請求項６】
前記パスワードは、十進法で表現され、１７桁以上となっている請求項１〜５のいずれか１つに記載の放射線検出器。
【請求項７】
前記パスワードは、十六進法で表現され、１５桁以上となっている請求項１〜５のいずれか１つに記載の放射線検出器。
【請求項８】
前記パスワードは、１０文字以上の英文字から構成されている請求項１〜５のいずれか１つに記載の放射線検出器。
【請求項９】
前記パスワードは、１０文字以上の数字と英文字との組み合わせから構成されている請求項１〜５のいずれか１つに記載の放射線検出器。
【発明の詳細な説明】
【技術分野】
【０００１】
本発明の実施形態は、放射線検出器に関する。
【背景技術】
【０００２】
放射線検出器の一種にＸ線検出器がある。Ｘ線検出器には、入射したＸ線を電気的な情報に変換する検出部が設けられている。検出部により得られた情報はデジタル化され、有線通信や無線通信により外部に送信される。  
Ｘ線検出器の通信方式には、独自技術では無く一般に普及している有線ＬＡＮや無線ＬＡＮの規格を用いることが多い。そのため、Ｘ線検出器が接続された通信網と、外部の通信網とを接続することで、Ｘ線検出器を全世界へと通じる通信網（例えば、インターネット）に接続することが可能となる。
【０００３】
しかしながら、Ｘ線検出器が外部の通信網に接続されていると、外部からの意図的な通信データの改ざんや通信データの漏洩などが発生するおそれがある。これらの不正行為が行われると、誤診断が発生したり、個人情報が漏洩したり、診察に支障が発生したりするおそれがある。  
これらの不正行為を防止するためには、Ｘ線検出器の通信データを暗号化することが好ましい。暗号化された通信データの復元や修正などを行う際には、パスワードが必要となる。この場合、複数のＸ線検出器に対して同じパスワードを用いると、パスワードが漏洩した際に前述した不正行為が行われやすくなる。そのため、パスワードはＸ線検出器毎に異なっていることが好ましい。
【０００４】
しかしながら、パスワードがＸ線検出器毎に異なっていると、Ｘ線検出器毎にパスワードを管理する必要がある。この場合、Ｘ線検出器毎に付属しているマニュアル等にパスワードを記載すると、マニュアル等の紛失や盗難によりパスワードが漏洩したり、複数のＸ線検出器と複数のパスワードとの対応関係が不明となったりするおそれがある。  
一方、単に、パスワードが記載されたシールをＸ線検出器の筐体に貼れば、第三者がパスワードを容易に読み取ることができるので、パスワードが漏洩するリスクが高くなる。  そこで、パスワードが筐体に設けられる場合であっても、パスワードの漏洩を抑制することができる技術の開発が望まれていた。
【先行技術文献】
【特許文献】
【０００５】
【特許文献１】特開２０１５−２００６０６号公報
【発明の概要】
【発明が解決しようとする課題】
【０００６】
本発明が解決しようとする課題は、パスワードが筐体に設けられる場合であっても、パスワードの漏洩を抑制することができる放射線検出器を提供することである。
【課題を解決するための手段】
【０００７】
実施形態に係る放射線検出器は、筐体と、前記筐体の内部に設けられ、放射線を直接的またはシンチレータと協働して検出する検出部と、前記筐体の外面に開口する凹部と、前記凹部の内部に設けられたパスワードと、を備えている。
【図面の簡単な説明】
【０００８】
【図１】本実施の形態に係るＸ線検出器を例示するための模式断面図である。
【図２】Ｘ線検出器のブロック図である。
【図３】検出部を例示するための模式斜視図である。
【図４】アレイ基板の回路図である。
【図５】検出部のブロック図である。
【図６】パスワード６０の配設位置を例示するための模式斜視図である。
【図７】本実施の形態に係るＸ線画像検出装置を例示するための模式図である。
【発明を実施するための形態】
【０００９】
以下、図面を参照しつつ、実施の形態について例示をする。なお、各図面中、同様の構成要素には同一の符号を付して詳細な説明は適宜省略する。  
また、本発明の実施形態に係る放射線検出器は、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【００１０】
また、以下に例示をするＸ線検出器１は、Ｘ線平面センサである。Ｘ線平面センサには、大きく分けて直接変換方式と間接変換方式がある。  
間接変換方式のＸ線検出器には、例えば、複数の光電変換部を有するアレイ基板と、複数の光電変換部の上に設けられＸ線を蛍光（可視光）に変換するシンチレータとが設けられている。間接変換方式のＸ線検出器においては、外部から入射したＸ線はシンチレータにより蛍光に変換される。発生した蛍光は、光電変換部により信号電荷に変換される。  
直接変換方式のＸ線検出器には、例えば、アモルファスセレンなどからなる光電変換膜が設けられている。直接変換方式のＸ線検出器においては、外部から入射したＸ線は、光電変換膜に吸収され、信号電荷に直接変換される。
【００１１】
以下においては、一例として、間接変換方式のＸ線検出器１を例示するが、本発明は直接変換方式のＸ線検出器にも適用することができる。なお、直接変換方式のＸ線検出器には既知の技術を適用することができるので詳細な説明は省略する。  
すなわち、Ｘ線検出器は、Ｘ線を電気的な情報に変換する検出部を有するものであれば良い。検出部は、例えば、Ｘ線を直接的またはシンチレータと協働して検出するものとすることができる。
【００１２】
Ｘ線検出器１は、例えば、一般医療などに用いることができる。ただし、Ｘ線検出器１の用途は、一般医療に限定されるわけではない。
【００１３】
図１は、本実施の形態に係るＸ線検出器１を例示するための模式断面図である。  
図２は、Ｘ線検出器１のブロック図である。  
図３は、検出部１０を例示するための模式斜視図である。  
図４は、アレイ基板２の回路図である。  
図５は、検出部１０のブロック図である。
【００１４】
図１〜図５に示すように、Ｘ線検出器１には、検出部１０、筐体２０、支持部３０、通信部４０、および電源部５０が設けられている。  
検出部１０には、アレイ基板２、回路基板３、およびシンチレータ４が設けられている。
検出部１０は、筐体２０の内部に設けられている。
【００１５】
アレイ基板２は、シンチレータ４によりＸ線から変換された蛍光を信号電荷に変換する。
アレイ基板２は、基板２ａ、光電変換部２ｂ、制御ライン（又はゲートライン）２ｃ１、データライン（又はシグナルライン）２ｃ２、および保護層２ｆなどを有する。  
なお、光電変換部２ｂ、制御ライン２ｃ１、およびデータライン２ｃ２などの数は例示をしたものに限定されるわけではない。
【００１６】
基板２ａは、板状を呈し、無アルカリガラスなどの透光性材料から形成されている。  
光電変換部２ｂは、基板２ａの一方の面に複数設けられている。  
光電変換部２ｂは、矩形状を呈し、制御ライン２ｃ１とデータライン２ｃ２とにより画された領域に設けられている。複数の光電変換部２ｂは、マトリクス状に並べられている。なお、１つの光電変換部２ｂは、Ｘ線画像の１つの画素（pixel）に対応する。
【００１７】
複数の光電変換部２ｂのそれぞれには、光電変換素子２ｂ１と、スイッチング素子である薄膜トランジスタ（ＴＦＴ；Thin Film Transistor）２ｂ２が設けられている。  
また、図４に示すように、光電変換素子２ｂ１において変換した信号電荷を蓄積する蓄積キャパシタ２ｂ３を設けることができる。蓄積キャパシタ２ｂ３は、例えば、矩形平板状を呈し、薄膜トランジスタ２ｂ２の下に設けることができる。ただし、光電変換素子２ｂ１の容量によっては、光電変換素子２ｂ１が蓄積キャパシタ２ｂ３を兼ねることができる。
【００１８】
光電変換素子２ｂ１は、例えば、フォトダイオードなどとすることができる。  
薄膜トランジスタ２ｂ２は、蓄積キャパシタ２ｂ３への電荷の蓄積および放出のスイッチングを行う。薄膜トランジスタ２ｂ２は、ゲート電極２ｂ２ａ、ドレイン電極２ｂ２ｂ及びソース電極２ｂ２ｃを有している。薄膜トランジスタ２ｂ２のゲート電極２ｂ２ａは、対応する制御ライン２ｃ１と電気的に接続される。薄膜トランジスタ２ｂ２のドレイン電極２ｂ２ｂは、対応するデータライン２ｃ２と電気的に接続される。薄膜トランジスタ２ｂ２のソース電極２ｂ２ｃは、対応する光電変換素子２ｂ１と蓄積キャパシタ２ｂ３とに電気的に接続される。また、光電変換素子２ｂ１のアノード側と蓄積キャパシタ２ｂ３は、グランドに接続される。
【００１９】
制御ライン２ｃ１は、所定の間隔をあけて互いに平行に複数設けられている。制御ライン２ｃ１は、例えば、行方向に延びている。  
１つの制御ライン２ｃ１は、基板２ａの周縁近傍に設けられた複数の配線パッド２ｄ１のうちの１つと電気的に接続されている。１つの配線パッド２ｄ１には、フレキシブルプリント基板２ｅ１に設けられた複数の配線のうちの１つが電気的に接続されている。フレキシブルプリント基板２ｅ１に設けられた複数の配線の他端は、回路基板３に設けられた読み出し回路３ａとそれぞれ電気的に接続されている。
【００２０】
データライン２ｃ２は、所定の間隔をあけて互いに平行に複数設けられている。データライン２ｃ２は、例えば、行方向に直交する列方向に延びている。  
１つのデータライン２ｃ２は、基板２ａの周縁近傍に設けられた複数の配線パッド２ｄ２のうちの１つと電気的に接続されている。１つの配線パッド２ｄ２には、フレキシブルプリント基板２ｅ２に設けられた複数の配線のうちの１つが電気的に接続されている。フレキシブルプリント基板２ｅ２に設けられた複数の配線の他端は、回路基板３に設けられた信号検出回路３ｂとそれぞれ電気的に接続されている。  
制御ライン２ｃ１、およびデータライン２ｃ２は、例えば、アルミニウムやクロムなどの低抵抗金属を用いて形成することができる。
【００２１】
保護層２ｆは、光電変換部２ｂ、制御ライン２ｃ１、およびデータライン２ｃ２を覆っている。保護層２ｆは、例えば、酸化物絶縁材料、窒化物絶縁材料、酸窒化物絶縁材料、および樹脂材料の少なくとも１種を含む。
【００２２】
回路基板３は、アレイ基板２の、シンチレータ４が設けられる側とは反対側に設けられている。  
回路基板３には、読み出し回路３ａおよび信号検出回路３ｂが設けられている。  
読み出し回路３ａは、薄膜トランジスタ２ｂ２のオン状態とオフ状態を切り替える。  
図５に示すように、読み出し回路３ａは、複数のゲートドライバ３ａａと行選択回路３ａｂとを有する。
【００２３】
行選択回路３ａｂには、制御信号Ｓ１が入力される。行選択回路３ａｂは、Ｘ線画像の走査方向に従って、対応するゲートドライバ３ａａに制御信号Ｓ１を入力する。  
ゲートドライバ３ａａは、対応する制御ライン２ｃ１に制御信号Ｓ１を入力する。  
例えば、読み出し回路３ａは、フレキシブルプリント基板２ｅ１を介して、制御信号Ｓ１を各制御ライン２ｃ１毎に順次入力する。制御ライン２ｃ１に入力された制御信号Ｓ１により薄膜トランジスタ２ｂ２がオン状態となり、蓄積キャパシタ２ｂ３からの電荷（画像データ信号Ｓ２）が受信できるようになる。
【００２４】
信号検出回路３ｂは、複数の積分アンプ３ｂａ、複数の選択回路３ｂｂ、および複数のＡＤコンバータ３ｂｃを有している。  
１つの積分アンプ３ｂａは、１つのデータライン２ｃ２と電気的に接続されている。積分アンプ３ｂａは、光電変換部２ｂからの画像データ信号Ｓ２を順次受信する。そして、積分アンプ３ｂａは、一定時間内に流れる電流を積分し、その積分値に対応した電圧を選択回路３ｂｂへ出力する。この様にすれば、所定の時間内にデータライン２ｃ２を流れる電流の値（電荷量）を電圧値に変換することが可能となる。すなわち、積分アンプ３ｂａは、シンチレータ４において発生した蛍光の強弱分布に対応した画像データ情報を、電位情報へと変換する。
【００２５】
選択回路３ｂｂは、読み出しを行う積分アンプ３ｂａを選択し、電位情報へと変換された画像データ信号Ｓ２を順次読み出す。  
ＡＤコンバータ３ｂｃは、読み出された画像データ信号Ｓ２をデジタル信号に順次変換する。デジタル信号に変換された画像データ信号Ｓ２は、通信部４０からアンテナ１０５ｃに向けて送信される。
【００２６】
シンチレータ４は、複数の光電変換素子２ｂ１の上に設けられ、入射するＸ線を蛍光に変換する。シンチレータ４は、基板２ａ上の複数の光電変換部２ｂが設けられた領域（有効画素領域）を覆うように設けられている。  
シンチレータ４は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ４を形成すれば、複数の柱状結晶の集合体からなるシンチレータ４が形成される。
【００２７】
また、シンチレータ４は、例えば、テルビウム賦活硫酸化ガドリニウム（Ｇｄ２Ｏ２Ｓ／Ｔｂ、又はＧＯＳ）などを用いて形成することもできる。この場合、複数の光電変換部２ｂごとに四角柱状のシンチレータ４が設けられるように、マトリクス状の溝部を形成することができる。
【００２８】
その他、検出部１０には、蛍光の利用効率を高めて感度特性を改善するために、シンチレータ４の表面側（Ｘ線の入射面側）を覆うように図示しない反射層を設けることができる。  
また、空気中に含まれる水蒸気により、シンチレータ４の特性と図示しない反射層の特性が劣化するのを抑制するために、シンチレータ４と図示しない反射層を覆う図示しない防湿体を設けることができる。
【００２９】
筐体２０は、カバー部２１、入射窓２２、および基部２３を有する。  
カバー部２１は、箱状を呈し、Ｘ線の入射側、およびＸ線の入射側とは反対側に開口部を有している。  
軽量化を考慮して、カバー部２１は、例えば、アルミニウム合金などを用いて形成することができる。また、カバー部２１は、例えば、ポリフェニレンサルファイド樹脂、ポリカーボネイト樹脂、炭素繊維強化プラスチック（ＣＦＲＰ；Carbon-Fiber-Reinforced Plastic）などを用いて形成することもできる。
【００３０】
入射窓２２は、板状を呈し、カバー部２１の、Ｘ線の入射側の開口部を塞ぐように設けられている。入射窓２２は、Ｘ線を透過させる。入射窓２２は、Ｘ線吸収率の低い材料を用いて形成されている。入射窓２２は、例えば、炭素繊維強化プラスチックなどを用いて形成することができる。
【００３１】
基部２３は、板状を呈し、カバー部２１の、Ｘ線の入射側とは反対側の開口部を塞ぐように設けられている。なお、基部２３は、カバー部２１と一体化してもよい。  
基部２３の材料は、ある程度の剛性を有するものであれば特に限定はない。基部２３の材料は、例えば、カバー部２１の材料と同様とすることができる。
【００３２】
支持部３０は、支持板３１と支持体３２とを有する。  
支持板３１は、板状を呈し、筐体２０の内部に設けられている。支持板３１の入射窓２２側の面には、アレイ基板２とシンチレータ４が設けられている。支持板３１の基部２３側の面には、回路基板３が設けられている。  
支持板３１の材料は、ある程度の剛性を有し、Ｘ線吸収率がある程度高いものとすることが好ましい。支持板３１の材料は、例えば、ステンレスやアルミニウム合金などの金属とすることができる。
【００３３】
支持体３２は、柱状を呈し、筐体２０の内部に設けられている。支持体３２は、支持板３１と基部２３との間に設けることができる。支持体３２と支持板３１の固定、および、支持体３２と基部２３の固定は、例えば、接着剤などを用いて行うことができる。支持体３２の材料は、ある程度の剛性を有するものであれば特に限定はない。支持体３２の材料は、例えば、ステンレスやアルミニウム合金などの金属、炭素繊維強化プラスチックなどとすることができる。  
なお、支持体３２の形態、配設位置、数などは例示をしたものに限定されるわけではない。例えば、支持体３２は、板状を呈し、カバー部２１の内側面から突出するように設けることもできる。すなわち、支持体３２は、筐体２０の内部において、支持板３１を支持することができるものであればよい。
【００３４】
通信部４０は、筐体２０の内部に設けられている。通信部４０は、送信回路４１およびアンテナ４３を備えている。  
送信回路４１の入力側は、ＡＤコンバータ３ｂｃと電気的に接続されている。送信回路４１の出力側は、アンテナ４３と電気的に接続されている。送信回路４１は、画像データ信号Ｓ２が乗った高周波信号を生成する。送信回路４１は、例えば、高周波信号を発生させる回路、高周波信号を所定の電力まで増大させる増幅回路、ＡＤコンバータ３ｂｃから出力された画像データ信号Ｓ２を高周波信号に乗せる変調回路などを有したものとすることができる。  
アンテナ４３は、画像データ信号Ｓ２が乗った高周波信号を電波として筐体２０の外部に放射（送信）する。なお、電波の周波数帯は、例えば、５ＧＨｚ帯とすることができる。
【００３５】
また、通信部４０は、受信回路４２をさらに備えることができる。受信回路４２の入力側は、アンテナ４３と電気的に接続されている。受信回路４２の出力側は、行選択回路３ａｂと電気的に接続されている。受信回路４２は、例えば、アンテナ４３を介して入力された制御信号Ｓ１が乗った電波を復調して制御信号Ｓ１を復元する。受信回路４２は、復元された制御信号Ｓ１を行選択回路３ａｂに送信する。  
この場合、アンテナ４３は、後述するアンテナ１０５ｃから放射（送信）された制御信号Ｓ１が乗った電波を受信する。  
送信回路４１および受信回路４２は、回路基板３に設けることができる。また、制御信号Ｓ１を発生させる回路が回路基板３などに設けられる場合には、受信回路４２を省くことができる。
【００３６】
電源部５０は、接続部５１および電池５２を有する。  
接続部５１は、回路基板３と電気的に接続されている。接続部５１は、電池５２と回路基板３とを電気的に接続する接触端子とすることができる。接続部５１は、例えば、導電性材料を含み、筐体２０から露出するものとすることができる。  
ただし、接続部５１は、接続端子に限定されるわけではない。例えば、接続部５１は、電池５２からの磁束を交流電力に変換し、変換された交流電力を直流電力に変換して検出部１０に印加するものとすることもできる。
【００３７】
すなわち、接続部５１は、電池５２からの電力を検出部１０に伝えることができるものであればよい。なお、接続部５１が磁束を介して電力を伝えるものである場合には、接続部５１は筐体２０の外面から露出しないようにすることができる。接続部５１が筐体２０の外面から露出しないようにすれば、物理的な接触による変形、消毒液などの薬品や水が付着することで生じる腐食などを抑制することができる。そのため、給電に対する信頼性を向上させることができる。
【００３８】
電池５２は、筐体２０の外部に設けられている。電池５２は、筐体２０に着脱可能に設けられている。電池５２は、例えば、接続部５１が有する弾性力により筐体２０に保持されるようにすることができる。また、電池５２は、ラッチ機構などの機械的な保持手段、磁石などの保持手段などにより、筐体２０に保持されるようにしてもよい。また、図１および図６に示すように、筐体２０の外面に開口する凹部２０ａを設け、凹部２０ａの内部に電池５２を収納することもできる。すなわち、電池５２は、凹部２０ａの内部に収納可能とすることができる。この場合、凹部２０ａの内部に収納された電池５２が筐体２０の外面から突出しないようにすることが好ましい。
【００３９】
電池５２は、例えば、リチウムイオン電池などの充電が可能な二次電池とすることができる。  
接続部５１が接続端子である場合には、電池５２を筐体２０に装着した際に電池５２と接続部５１が電気的に接続される。接続部５１が磁束を介して電力を伝えるものである場合には、電池５２は、直流電力を交流電力に変換し、変換された交流電力を磁束に変換する接続部をさらに備えることができる。
【００４０】
なお、以上においては、電池５２を備えた無線タイプのＸ線検出器１を例示したが、本発明は、電池５２を備えていないＸ線検出器や有線タイプのＸ線検出器にも適用することができる。
【００４１】
ここで、Ｘ線検出器１の通信方式には、独自技術では無く一般に普及している有線ＬＡＮや無線ＬＡＮの規格を用いることが多い。また、一般的な通信方式を用いているため、Ｘ線検出器１と、制御部１０５とが接続された通信網には、一般的な情報装置も接続される。さらに、Ｘ線検出器１が接続された通信網と、外部の通信網とを接続することで、Ｘ線検出器１を全世界へと通じる通信網（例えば、インターネット）に接続することも可能となっている。Ｘ線検出器１がインターネットなどの外部の通信網に接続されていれば、遠隔診断や遠隔診察などが可能となる。
【００４２】
しかしながら、Ｘ線検出器１が外部の通信網に接続されていると、外部からの意図的な通信データの改ざんや通信データの漏洩などが発生するおそれがある。例えば、通信網を介したハッキング、通信網を介した通信データの流出、偽の制御部１０５からＸ線検出器１に偽の制御信号Ｓ１が送信されることなどが考えられる。  
通信データの改ざんが行われると、得られるＸ線画像が変化するので誤診断が発生するおそれがある。また、Ｘ線検出器１から送信される情報には個人情報が含まれている。そのため、通信データの流出が生じると個人情報が漏洩するおそれがある。また、Ｘ線検出器１に偽の制御信号Ｓ１が入力されると、目的とする診断にとって不適切なＸ線画像が出力され、診察に支障が発生するおそれがある。
【００４３】
これらの不正行為を防止するためには、Ｘ線検出器１の通信データを暗号化することが好ましい。Ｘ線検出器１の通信データを暗号化すれば、通信データの復元や修正などを行う際にパスワードが必要となる。パスワードが設定されていれば、通信データの流出が生じたとしても個人情報の漏洩を防ぐことが可能となる。また、通信データや制御信号Ｓ１の改ざんが困難となる。この場合、Ｘ線検出器１を初めて通信網に接続した状態（初期状態）から暗号化された通信を行うことが好ましい。初期状態において暗号化されていない通信が行われると、初期状態を狙って前述した不正行為が行われるおそれがある。
【００４４】
また、Ｘ線検出器１に予め設定されていたパスワード（初期パスワード）を変更せずに使用していると前述した不正行為が行われるおそれがある。そのため、初期パスワードは、Ｘ線検出器１の設置後速やかに変更することが好ましい。  
また、複数のＸ線検出器１に対して同じパスワードを用いると、パスワードが漏洩した際に前述した不正行為が行われやすくなる。
【００４５】
以上のことより、パスワードはＸ線検出器１毎に異なっていることが好ましい。しかしながら、パスワードがＸ線検出器１毎に異なっていると、Ｘ線検出器１毎にパスワードを管理する必要がある。例えば、Ｘ線検出器１毎に付属しているマニュアル等にパスワードを記載すれば、Ｘ線検出器１毎に異なるパスワードを管理することができる。ところが、パスワードが記載されたマニュアル等の紛失、盗難が発生した場合には、パスワードが漏洩するおそれがある。また、Ｘ線検出器１から分離しているマニュアル等にパスワードを記載すると、複数のＸ線検出器１と複数のパスワードとの対応関係が不明となるおそれがある。
【００４６】
この場合、そのＸ線検出器１に固有のパスワードを筐体２０に設ければ、パスワードを紛失するのを抑制することができる。また、複数のＸ線検出器１と複数のパスワードとの対応関係を明確にすることができる。  
例えば、筐体２０の外面にパスワードが記載されたシールを貼るようにすることができる。ところが、単に、筐体２０の外面にパスワードを設けると、第三者がパスワードを容易に読み取ることができる。例えば、無線タイプのＸ線検出器１は、コードレスであるため便利性が高く、様々な場面において使用されている。そのため、不特定多数の患者や操作者の目に触れることが多く、筐体２０の外面に設けられたパスワードが漏洩するリスクが高くなる。
【００４７】
ここで、本実施の形態に係るＸ線検出器１において用いることができるパスワードについて説明する。  
暗号化には大きく分けて「スカノグラフィ」、「コード」、および「サイファ」の三種類がある。  
「スナノグラフィ」では、情報を人目につかない場所に隠す。例えば、Ｘ線検出器のデータ通信においては、外部の通信網から隔離された通信網のみを介してデータ通信を行うことを意味する。この方式では秘匿性は高くなるが専用の通信網が必要となり、通信網の構築と維持に多大なコストがかかる。  
「コード」では、データに含まれる数値や単語を、事前に定められた他の数値や単語に置き換える。この方式をＸ線検出器のデータ通信に用いると、すべてのＸ線検出器において同一の法則に従って通信データを置換することになる。そのため、一度でも置換の法則が露見してしまうと、すべてのＸ線検出器の暗号が破られることになる。
【００４８】
「サイファ」では、データに含まれる数値を所定のアルゴリズムに従って他の数値に変換する。そして、暗号化を行うアルゴリズムには鍵情報を用い、この鍵情報の内容に従ったアルゴリズムが数値の変換を行う。そのため、アルゴリズムだけが露見しただけでは暗号化されたデータを復元することは困難である。つまり、暗号化のアルゴリズムを共通にしても、鍵情報を秘匿することで、暗号化されたデータの安全を確保することができる。
そのため、Ｘ線検出器１のデータ通信に用いる暗号化は、「サイファ」とすることが好ましい。  
「サイファ」によるの暗号化では、暗号化のアルゴリズムに必要な「鍵情報」があればデータの暗号化と複合化が可能となる。そのため、パスワードは、共通鍵暗号（サイファ）に用いる鍵情報とすればよい。  
この場合、パスワードは、そのＸ線検出器１に固有のパスワードとすることが好ましい。
【００４９】
「サイファ」による暗号化には、例えば、アメリカ合衆国連邦規格として採用された「ＤＥＳ」や、アメリカ国立標準技術研究所が採用した「ＡＥＳ」などの共通鍵暗号方式などがある。共通鍵暗号方式においては、暗号化強度は「鍵情報」の複雑さによって左右される。「鍵情報」の複雑さは、「鍵情報」に含まれる情報量（ｂｉｔ）によって表すことができる。例えば、「ＤＥＳ」では「鍵情報」の複雑さは「５６ｂｉｔ」であり、「ＤＥＳ」よりも複雑な「ＡＥＳ」では「１２８ｂｉｔ」、「１９２ｂｉｔ」、「２５６ｂｉｔ」となっている。  
近年におけるデータの安全性を考慮すると、「鍵情報」の複雑さを５６ｂｉｔ以上とすることが好ましい。そのため、Ｘ線検出器１のデータ通信を暗号化する際には、「ＡＥＳ」などを用いることが好ましい。
【００５０】
パスワードは、人間が目視にて判読できる必要があるため、数字や文字を用いて表現される。パスワードとして十進法の数字のみを用いた場合に、数字一文字が持つ複雑さは以下の式で表すことができる。  
［一文字の複雑さ］    ＝ Ｌｏｇ（選択可能な文字の数）／ Ｌｏｇ（２）  
＝ Ｌｏｇ（１０）／ Ｌｏｇ（２）  
＝ ２．３０／ ０．６９３    
＝ ３．３２(ｂｉｔ)
この結果に基づいて、５６ｂｉｔを超える「鍵情報」の複雑さを満たすパスワードの長さを計算すると以下のようになる。  
［パスワードの長さ］  ＞ ［必要な複雑さ］／［文字１文字の持つ複雑さ］  
＞ ５６／３．３２  
＞ １６．８  
以上より、パスワードが十進法で表現される場合には、１７桁以上とすることが好ましい。
【００５１】
パスワードとして十六進法の数字および英文字のみを用いた場合には、以下のようになる。  
［一文字の複雑さ］    ＝ Ｌｏｇ（選択可能な文字の数）／ Ｌｏｇ（２）  
＝ Ｌｏｇ（１６）／ Ｌｏｇ（２）  
＝ ２．７７／０．６９３  
＝ ４(ｂｉｔ)  
［パスワードの長さ］  ＞ ［必要な複雑さ］／［文字１文字の持つ複雑さ］  
＞ ５６／４  
＞ １４  
以上より、パスワードが十六進法で表現される場合には、１５桁以上とすることが好ましい。
【００５２】
パスワードとして英文字（大文字／小文字有り）のみを用いた場合には、以下のようになる。  
［一文字の複雑さ］    ＝ Ｌｏｇ（選択可能な文字の数）／ Ｌｏｇ（２）  
＝ Ｌｏｇ（２６＋２６）／ Ｌｏｇ（２）  
＝ ３．９５／０．６９３  
＝ ５．７(ｂｉｔ)  
［パスワードの長さ］  ＞ ［必要な複雑さ］／［文字１文字の持つ複雑さ］  
＞ ５６／５．７  
＞ ９．８  
以上より、パスワードが英文字のみで表現される場合には、１０文字以上の英文字から構成されることが好ましい。
【００５３】
パスワードとして英文字（大文字／小文字有り）と数字との組み合わせを用いる場合には、以下のようになる。  
［一文字の複雑さ］    ＝ Ｌｏｇ（選択可能な文字の数）／ Ｌｏｇ（２）  
＝ Ｌｏｇ（２６＋２６＋１０）／ Ｌｏｇ（２）  
＝ ４．１３／０．６９３  
＝ ５．９５(ｂｉｔ)  
［パスワードの長さ］  ＞ ［必要な複雑さ］／［文字１文字の持つ複雑さ］  
＞ ５６／５．９５  
＞ ９．４１  
以上より、パスワードとして英文字（大文字／小文字有り）と数字との組み合わせを用いる場合には、１０文字以上の数字と英文字との組み合わせから構成されることが好ましい。  
上記の複雑さを有するパスワードを用いれば、Ｘ線検出器１の通信データにおいて暗号が破られるのを抑制することができる。
【００５４】
次に、パスワードの配設位置について説明する。  
図６は、パスワード６０の配設位置を例示するための模式斜視図である。  
無線タイプのＸ線検出器１は、小型で軽量であるため、ケース１０３ａ内に納められた状態だけでは無く、被検体２００がＸ線検出器１を直接触れることができる状態で使用されることも多い。  
そのため、筐体２０の外面に、初期パスワードなどのパスワード６０が設けられていると、第三者にパスワード６０が読み取られ、パスワード６０が漏洩するおそれがある。また、初期パスワードのまま使用している場合には、通信データの漏洩や改ざんの危険性が増すことになる。
【００５５】
これに対して、筐体２０の外面に開口する凹部を設け、凹部の内部にパスワード６０を設ければ、第三者がパスワード６０を読み取り難くなる。例えば、凹部の底面や側面にパスワード６０を設ければ、角度によってはパスワード６０が読み取れなくなる。  
なお、パスワード６０は、シールなどに記載されていてもよいし、凹部の底面や側面に直接印字されていてもよい。また、凹部は、筐体２０のＸ線の入射側とは反対側の面２０ｂ、および、筐体２０の側面２０ｃの少なくともいずれかに設けることができる。
【００５６】
また、図６に示すように、電池５２が収納される凹部２０ａにパスワード６０を設ければ、電池５２を目隠し板とすることができる。この場合、凹部２０ａの底面にパスワード６０を設ければ、電池５２によりパスワード６０を隠すことができる。また、凹部２０ａの底面にパスワード６０を設ければ、電池５２の着脱に伴いパスワード６０が破損するのを抑制することができる。凹部２０ａの側面にパスワード６０を設ければ、電池５２によりパスワード６０の少なくとも一部を隠すことができる。  
すなわち、電池５２が、凹部２０ａの内部に収納された際に、パスワード６０の少なくとも一部が電池５２により隠される。
【００５７】
ここで、電池５２は、通常のＸ線画像撮影時や診断時には取り外されることはない。そのため、パスワード６０が第三者に読み取られるのを抑制することができる。また、初期パスワードなどのパスワード６０が第三者を介して外部に漏れることを抑制することができる。  
パスワード６０を容易に視認することができるようになるのは、電池５２の交換や充電を行うために筐体２０から電池５２を取り外す時である。一般的に、電池５２の取り外しは、Ｘ線検出器１の操作に携わる極めて限られた者が行う。そのため、パスワード６０が電池５２により隠されていれば、パスワード６０が漏洩するリスクを最小限に抑えることができる。
【００５８】
図７は、本実施の形態に係るＸ線画像検出装置１００を例示するための模式図である。
図７に示すように、Ｘ線画像検出装置１００には、Ｘ線検出器１、撮影台１０３、Ｘ線照射部１０４、および制御部１０５が設けられている。Ｘ線検出器１、撮影台１０３、およびＸ線照射部１０４は、撮影室１０１の内部に設けられている。制御部１０５は、操作室１０２の内部に設けられている。
【００５９】
Ｘ線画像を撮影する際には、撮影台１０３のＸ線照射部１０４側には被検体２００が配置される。なお、図７においては、いわゆる臥位撮影台を例示したが、いわゆる立位撮影台であってもよい。  
撮影台１０３には、ケース１０３ａが設けられている。図７に示すように、ケース１０３ａは、撮影台１０３の、Ｘ線照射部１０４側とは反対側に設けることができる。なお、ケース１０３ａは、撮影台１０３のＸ線照射部１０４側に設けることもできる。ケース１０３ａが、撮影台１０３のＸ線照射部１０４側に設けられる場合には、ケース１０３ａは、撮影台１０３と被検体２００の間に設けられる。  
Ｘ線検出器１は、ケース１０３ａの内部に設けることができる。Ｘ線検出器１をケース１０３ａの内部に設けることで、Ｘ線検出器１と撮影台１０３との位置関係、ひいてはＸ線検出器１とＸ線照射部１０４との位置関係を規定することができる。
【００６０】
Ｘ線照射部１０４は、例えば、Ｘ線を発生させる真空管とすることができる。また、Ｘ線照射部１０４に電力を供給する図示しない高圧電源、Ｘ線ビームの形状を整形する図示しないコリメータ、Ｘ線照射部１０４とＸ線検出器１の同期を制御する図示しない制御装置などを適宜設けることができる。なお、Ｘ線照射部１０４、図示しない高圧電源、図示しないコリメータ、図示しない制御装置などには既知の技術を適用することができるので詳細な説明は省略する。
【００６１】
制御部１０５は、受信回路１０５ａ、送信回路１０５ｂ、アンテナ１０５ｃ、画像構成回路１０５ｄ、表示部１０５ｅ、および入力部１０５ｆを有する。  
受信回路１０５ａの入力側は、アンテナ１０５ｃと電気的に接続されている。受信回路１０５ａの出力側は、画像構成回路１０５ｄと電気的に接続されている。受信回路１０５ａは、例えば、アンテナ１０５ｃを介して入力された画像データ信号Ｓ２が乗った電波を復調して画像データ信号Ｓ２を復元する。受信回路１０５ａは、復元された画像データ信号Ｓ２を画像構成回路１０５ｄに送信する。  
送信回路１０５ｂの入力側は、画像構成回路１０５ｄと電気的に接続されている。送信回路１０５ｂの出力側は、アンテナ１０５ｃと電気的に接続されている。送信回路１０５ｂは、例えば、画像構成回路１０５ｄで作成された制御信号Ｓ１を変調して制御信号Ｓ１が乗った高周波信号を作成する。なお、制御信号Ｓ１を発生させる回路が回路基板３などに設けられる場合には、送信回路１０５ｂを省くことができる。
【００６２】
アンテナ１０５ｃは、通信部４０に設けられたアンテナ４３から放射された電波を受信する。また、アンテナ１０５ｃは、制御信号Ｓ１が乗った高周波信号を電波として放射（送信）する。アンテナ１０５ｃは、撮影室１０１の内部に設けることもできるし、操作室１０２の内部に設けることもできる。
【００６３】
画像構成回路１０５ｄは、Ｘ線画像を構成する。画像構成回路１０５ｄは、復元された画像データ信号Ｓ２に基づいて、Ｘ線画像信号を作成する。作成されたＸ線画像信号は、画像構成回路１０５ｄから表示部１０５ｅに送信される。なお、作成されたＸ線画像信号は、画像構成回路１０５ｄから外部の機器に向けて送信されるようにしてもよい。
【００６４】
表示部１０５ｅおよび入力部１０５ｆは、画像構成回路１０５ｄと電気的に接続されている。表示部１０５ｅは、Ｘ線画像信号を光学画像（Ｘ線画像）に変換する。表示部１０５ｅは、例えば、フラットパネルディスプレイなどとすることができる。  
入力部１０５ｆは、文字情報などを入力する。入力された文字情報などは、光学画像（Ｘ線画像）とともに表示部１０５ｅに表示される。入力部１０５ｆは、例えば、キーボードやマウスなどとすることができる。
【００６５】
以上においては、Ｘ線検出器１が撮影室１０１の内部に設けられる場合を例示したが、無線タイプであるＸ線検出器１は、撮影室１０１以外の屋内や屋外においても使用することができる。例えば、移動が困難な被検体２００の場合には、被検体２００の近傍にＸ線検出器１を配置することも可能である。
また、以上においては、Ｘ線検出器１が無線により外部との通信を行う場合を例示したが、有線により外部との通信を行うＸ線検出器に対しても同様の暗号化技術を適用することができる。
また、有線通信の場合と無線通信の場合のそれぞれに異なるパスワードを設定し、それらを筐体２０の外面に開口する凹部に併記することも可能である。
【００６６】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６７】
１  Ｘ線検出器、２  アレイ基板、２ａ  基板、２ｂ  光電変換部、３  回路基板、４  シンチレータ、１０  検出部、２０  筐体、２０ａ  凹部、４０  通信部、５０  電源部、５２  電池、６０  パスワード、１００  Ｘ線画像検出装置、１０５  制御部
【図１】
2019039676.tif 000003
【図２】
2019039676.tif 000004
【図３】
2019039676.tif 000005
【図４】
2019039676.tif 000006
【図５】
2019039676.tif 000007
【図６】
2019039676.tif 000008
【図７】
2019039676.tif 000009